(57)【特許請求の範囲】
【請求項１】
受託番号ＦＥＲＭ  ＢＰ−１０３２１として受託されているウレイバチルス・サーモスファエリクスに属するステビア由来新規好熱菌を、1×10６cfu/g以上含有することを特徴とする堆肥。
【請求項２】
新規好熱菌の含有量が1×10７cfu/g以上である、請求項１に記載の堆肥。
【請求項３】
農作土壌に有用な素材中に、受託番号ＦＥＲＭ  ＢＰ−１０３２１として受託されているウレイバチルス・サーモスファエリクスに属するステビア由来新規好熱菌を、1×10５cfu/g以上含有することを特徴とする土壌配合材。
【請求項４】
新規好熱菌の含有量が1×10６cfu/g以上である、請求項３に記載の土壌配合材。
【請求項５】
農作物を栽培する土壌に、受託番号ＦＥＲＭ  ＢＰ−１０３２１として受託されているウレイバチルス・サーモスファエリクスに属するステビア由来新規好熱菌を、1×10６cfu/g以上含有する堆肥又は1×10５cfu/g以上含有する土壌配合材を施用することを特徴とする農産物の育成方法。
【請求項６】
農作物を栽培する土壌に、受託番号ＦＥＲＭ  ＢＰ−１０３２１として受託されているウレイバチルス・サーモスファエリクスに属するステビア由来新規好熱菌を、1×10７cfu/g以上含有する堆肥又は1×10６cfu/g以上含有する土壌配合材を施用することを特徴とする農産物の育成方法。
【発明の詳細な説明】
【技術分野】
【０００１】
本発明は、ステビアの植物体から得られ、ウレイバチルス・サーモスファエリクス (Ureibacillus thermosphaericus)に属し、住所：〒305-8566  茨城県つくば市東１−１−１中央第６、名称：独立行政法人産業技術総合研、特許生物寄託センターにおいて２００４年４月３０日に受託された新規好熱菌（受託番号：ＦＥＲＭ  ＢＰ−１０３２１）、これを培養して得られた堆肥、及びこの好熱菌を大量に含有する土壌配合材に関する。本発明は又、本発明の堆肥或いは土壌配合材を施用することにより、植物の肥料吸収性を向上させ、病虫害を予防し、農産物の残留農薬を低減させる農産物の育成方法に関する。
【背景技術】
【０００２】  近時、化学肥料を大量に使用して農産物の収穫量を高めた結果、土壌が痩せて生育する植物の基本的体力が低下する傾向にある。その結果、作物が病虫害に弱くなり、次第に強力な殺虫剤や殺菌剤等の農薬の使用量が増加し、これら農薬が農産物中に残留農薬として移行する。農産物と共に人体に摂取される残留農薬は人体に蓄積され、過敏症その他の現代病の一因とも考えられる。また、大量収穫を意図して化学肥料等を大量に施用しても、植物の栄養吸収量には限界があり、土壌は過栄養状態にあると言える。【０００３】  近時、無農薬栽培や減農薬栽培が行われるようになった。しかし、現実問題として、無農薬農法に切替えても、土壌中にはかつて使用した農薬が残留しており、これが作物に吸収されて農作物中に農薬が検出される現象があった。また、無農薬に切替えようと試みても、作物が害虫に侵されれば農薬を使用せざるを得ず、残留農薬の存在しない農産物の入手が困難になってきた。
例えば、特許文献１にはステビアの植物体の粉末を土壌に施用することによって土壌中の細菌叢を健康に維持し、農薬の使用量を低減する技術が記載されている。また、特許文献２には堆肥原料にステビア植物体の粉末を混合することにより、内部温度が８０℃前後に達し、堆肥の製造が加速されることが記載されている。【０００４】  一方、硝酸塩に含まれる窒素は植物の重要な栄養素であり、生育に不可欠な元素である。特に野菜では窒素の多くが硝酸イオンとして吸収されるため、不足すると収量や品質が大きく低下する。吸収された硝酸は植物体内で還元されてアミノ酸、蛋白質、核酸等になり、人体に摂取されればアミノ酸に分解され蛋白質に再合成される。硝酸は植物体内でアミノ酸に還元同化され、はじめて利用されるため、それより多く吸収されれば未還元の硝酸塩として蓄積される。【０００５】  近年、硝酸基の過剰摂取は人体に悪影響を及ぼすことが明らかになった。これは、硝酸基が蛋白質のアミノ基と結合してニトロサミンを生成する結果であると考えられている。そのため、硝酸の摂取量を可能な限り低く押さえることが望ましい。硝酸の主たる摂取源が野菜であるため、硝酸含有量の少ない野菜が求められる。施肥料の調節等による低硝酸化が検討されているが、施肥料の低減は収穫の減少、品質の劣化にも通じる。
【特許文献１】特開２０００−５３５１７号公報
【特許文献２】特開２００２−６０２９０号公報
【発明の開示】
【発明が解決しようとする課題】
【０００６】
本発明者らは、ステビアの植物体の粉末が、堆肥製造工程で内部温度を８０℃前後に高温化する事実及び植物を健康に維持する効果を有することに鑑み、ステビアの植物体に存在する菌を分離同定することを試みた。本発明は、この菌を増殖させて植物に施用することにより、植物の肥料吸収能を高め品質を向上させ、野菜をはじめとする農産物中の残留農薬と硝酸態窒素を低減させる技術を提供することを目的とする。
【課題を解決するための手段】
【０００７】
本発明は上記目的を達成するものであって、その構成は、（１）硝酸還元能を有し、配列表の配列番号１に記載された塩基配列を含むウレイバチルス・サーモスファエリクスに属するステビア由来新規好熱菌を、1×10６cfu/g以上含有することを特徴とする堆肥、（２）新規好熱菌の含有量が1×10７cfu/g以上である、（１）に記載の堆肥、（３）新規好熱菌が受託番号ＦＥＲＭ  ＢＰ−１０３２１として受託されているものである、（１）又は（２）に記載の堆肥、（４）農作土壌に有用な素材中に、硝酸還元能を有し、配列表の配列番号１に記載された塩基配列を含むウレイバチルス・サーモスファエリクスに属するステビア由来新規好熱菌を、1×10５cfu/g以上含有することを特徴とする土壌配合材、（５）新規好熱菌の含有量が1×10６cfu/g以上である、（４）に記載の土壌配合材、（６）新規好熱菌が受託番号ＦＥＲＭ  ＢＰ−１０３２１として受託されているものである、（４）又は（５）に記載の土壌配合材、（７）農作物を栽培する土壌に、硝酸還元能を有し、配列表の配列番号１に記載された塩基配列を含むウレイバチルス・サーモスファエリクスに属するステビア由来新規好熱菌を、1×10６cfu/g以上含有する堆肥又は1×10５cfu/g以上含有する土壌配合材を施用することを特徴とする農産物の育成方法、（８）農作物を栽培する土壌に、硝酸還元能を有し、配列表の配列番号１に記載された塩基配列を含むウレイバチルス・サーモスファエリクスに属するステビア由来新規好熱菌を、1×10７cfu/g以上含有する堆肥又は1×10６cfu/g以上含有する土壌配合材を施用することを特徴とする農産物の育成方法、及び（９）新規好熱菌が受託番号ＦＥＲＭ  ＢＰ−１０３２１として受託されているものである、（７）又は（８）に記載の農産物の育成方法である。
【０００８】
本発明者らは、ステビア粉末1gを段階希釈法により希釈し、各段階希釈液0.1mlを０．５％肉エキス加トリプトソイ寒天培地に接種し、５５℃で２日間培養して好熱菌を分離した。更に、同培地での分離培養を繰返し、４種類の単一菌を分離した。一方、少量のステビア植物体の粉末を添加して発酵させて得られた堆肥には、上記単一菌の中の１種のみが存在した。この単一菌を１６ＳｒＤＮＡ塩基配列解析により同定した。１６ＳｒＤＮＡ部分塩基配列（598 base) 解析の結果、ウレイバチルス・サーモスファエリクス (Ureibacillus thermosphaericus)に５９６／５９８塩基が一致し、９９％の確率でウレイバチルス・サーモスファエリクス (Ureibacillus thermosphaericus)に属することが判明した。この好熱菌は各種蛋白質に対する高い分解能を有し、高濃度の各種有機農薬の存在下で増殖するのみならず、高濃度の農薬存在下でより高度の増殖能を発現した。また、硝酸基を亜硝酸基に還元し、更にアンモニウム基に還元する能力を有する。
【発明の効果】
【０００９】  本発明好熱菌を堆肥原料に配合するとカリウムイオンやオルトリン酸イオンを大量に含有する良質の堆肥が得られる。この堆肥を作物を栽培している土壌に施用すれば、本発明好熱菌を中心として独特の植物の生育に好ましい細菌叢を形成し、農産物の品質及び収量が向上する。残留農薬が大量に残る土壌であっても、更に、必要に応じて多少の農薬を使用しても、収穫された作物には農薬が検出されず、硝酸態窒素も低減している。したがって、本発明によれば、簡易な手段で人体に安全な農作物をより大量に提供することが可能になった。
【図面の簡単な説明】
【００１０】［図１］図１は本発明好熱菌のカーバメイト系農薬に対する相対増殖率を示したグラフである。
［図２］図２は本発明好熱菌の有機リン系農薬に対する相対増殖率を示したグラフである。
［図３］図３は本発明好熱菌のピレスロイド系農薬に対する相対増殖率を示したグラフである。
［図４］図４は本発明好熱菌の硝酸還元性を培養日数と共に表したグラフである。
【発明を実施するための最良の形態】
【００１１】
本発明の新規好熱菌は、住所：〒305-8566  茨城県つくば市東１−１−１中央第６、名称：独立行政法人産業技術総合研、特許生物寄託センターに２００４年４月３０日に寄託された胞子形成性の菌（受託番号：ＦＥＲＭ  ＢＰ−１０３２１）である。この菌はトリプトソイ寒天培地では増殖が見られなかった。この培地に０．５％肉エキスを添加すると３＋の増殖がみられ、１％カゼイン加寒天培地でも３＋の増殖がみられ、肉エキス、カゼイン等蛋白質やポリペプチドに対する分解能が高いことが判明した。
本菌の染色性及び生化学的性状は、桿菌であり、グラム陰性、カタラーゼ陽性、オキシダーゼ陽性、運動性、胞子染色性である。この菌の各温度における増殖活性を表１に示した。
【００１２】
0003905553.tif 000002
６０℃で最大の増殖を示し、７０℃では増殖不可能であった。
本発明好熱菌の基質分解能を表２に示した。【００１３】
0003905553.tif 000003
0003905553.tif 000004
【００１４】
本発明の新規好熱菌は、住所：〒305-8566  茨城県つくば市東１−１−１中央第６、名称：独立行政法人産業技術総合研、特許生物寄託センターにおいて２００４年４月３０日に受託されている（受託番号：ＦＥＲＭ  ＢＰ−１０３２１）。１６ＳｒＤＮＡ塩基配列解析による部分塩基配列は配列表に示す通りであった。この部分塩基配列により本発明好熱菌については５９６／５９８塩基が一致し、９９％の確立でUreibacillus thermosphaericus に相同性が高いことが判明した。
【００１５】
本発明において原料となるステビアとは南米原産の菊科の多年性植物ステビア・レバウディアナ・ベルトニ（Stevia rebaudiana bertoni）及びその類縁植物である。一般には蕾を持つ前の全草を刈り取り、葉及び茎を乾燥して粉末化する。市販されているものは葉及び茎の混合物である。本発明はこの粉末を堆肥原料に混合し、発酵させ、得られた堆肥から菌を分離し、同定し、その生理学的特性を解明したものである。
【００１６】  堆肥原料は、牛糞、豚糞、鶏糞、活性汚泥、野菜屑、藁屑、食品工場の廃棄物、製薬工場の廃棄物、家庭ゴミ等特に限定しないが、蛋白質やポリペプチドを多く含有する原料が好ましい。この堆肥原料に０．０１〜１．５質量％程度のステビア植物体の粉末を配合して堆肥化すると、堆肥原料独特の悪臭が１日で消失し、発酵して内部温度が自然に上昇して８０℃以上に達する。従来、堆肥内の発酵温度はＥＭ菌やぼかしを用いても精々６５〜７０℃が上限であり、外部から加熱を行わなければ８０℃の高温は得られなかった。堆肥化の時間も短縮され、得られた堆肥は良質で手で触った感じはしっとりとして柔らかく、充分な水分を含みながら離水しない。【００１７】
堆肥化の結果、堆肥原料の種類に関係なく、本発明の住所：〒305-8566  茨城県つくば市東１−１−１中央第６、名称：独立行政法人産業技術総合研、特許生物寄託センターにおいて２００４年４月３０日に受託されたウレイバチルス・サーモスファエリクス (Ureibacillus thermosphaericus)に属する新規微生物（受託番号：ＦＥＲＭ  ＢＰ−１０３２１）が１〜１０×１０７ cfu/g 程度の濃度で含有される。
したがって、本発明により得られた堆肥を、更に新たな堆肥原料に配合すれば、より少量の種菌を用いて本発明好熱菌を大量に含有する新たな堆肥を得ることができる。
【００１８】  本発明はこの好熱菌を１×１０６ｃｆｕ／ｇ以上、好ましくは１×１０７ｃｆｕ／ｇ以上含有する堆肥である。或いは農作土壌に有用な素材中に、本発明好熱菌を１×１０５ｃｆｕ／ｇ以上、好ましくは１×１０６ｃｆｕ／ｇ以上含有する土壌配合材である。農作土壌に有用な素材とは堆肥を始めとして、籾殻、ほし藁、糠類、乾燥した植物体、れんげ等の豆科植物等、土壌に鋤き込むことにより、土壌の栄養性を高めたり、通気性を改良したり、根の張りを改良する作用を有する素材である。中でも、乾燥したステビア植物体の粉末や椰子の果肉の圧搾、断裁物が好ましい。本発明はこれら農作土壌に有用な素材に、本発明好熱菌を１×１０５ｃｆｕ／ｇ以上、好ましくは１×１０６ｃｆｕ／ｇ以上含有させた土壌配合材である。【００１９】  これを製造するには、農作土壌に有用な素材中に、別途培養増殖させた本発明好熱菌培養物を配合すればよい。本発明好熱菌を別途培養増殖させるには堆肥化してもよく、又、蛋白質或いはポリペプチドを含有する基材中で、本発明好熱菌を培養すればよい。本発明土壌配合材を農産植物を育成する土壌に配合すると、植物の栄養吸収性が向上して収穫量が増えると共に、かつて使用した農薬が残留している土壌であっても好熱菌が増殖し、農産物中に残留農薬を残存させない。土壌改良材が本発明好熱菌を１×１０５ｃｆｕ／ｇ未満しか含有しない場合には、本発明の効果を充分に発現しない。本発明好熱菌の含有量を測定する場合には、５５℃ないし６０℃で培養し、測定することが好ましい。【００２０】  本発明の菌により除去される農薬としては、ジクロルボス、ＥＰＮ、エディフェンホス、エトプロホス、エトリムホス、キナルホス、クロルピリホス、クロルフェンビンホス、チオメトン、ジメチルビンホス、ジメトエース、トルクロホスメチル、ダイアジン、テルブホス、パラチオン、パラチオンメチル、ピラクロホス、ピリミホスメチル、フェニトロチオン、フェンチオン、フェントエート、ブタミホス、プロチオホス、ホサロン、イソキサチオン、エチオン、クロルピリホスメチル、サリチオン、シアノホス、ジクロフェンチオン、ジスルフォトン、マラチオン等の有機リン系農薬を挙げることができる。【００２１】  更に、α−ＢＨＣ、β−ＢＨＣ、γ−ＢＨＣ、δ−ＢＨＣ、ｐｐ’−ＤＤＤ、ｐｐ’−ＤＤＥ、ｐｐ’−ＤＤＴ、ｏｐ’−ＤＤＴ、アルドリン、エンドリン、ディルドリン、ジコホール、テルフトリン、ハロフェンブロックス、クロルデン等の塩素系農薬が挙げられる。キャプタン系農薬としては、カプタホール、キャプタン、クロルベンジレート等を挙げることができる。カーバメート系農薬としては、ランネート、アルジカブル、エチオフェンカブル、オキサミル、カルバリン、ピリミカーブ、フェノブカルブ、ベンダイオカルブ、エスプロカルブ、ベンチオカーブ等を挙げることができる。【００２２】  その他、シハロトリン、シフルトリン、シペルメトリン、テフルトリン、デルタメトリン、トラロメトリン、フェンバレレート、フェンプロパトリン、フルシトリネート、フルバリネート、ペルメトリン等のピレスロイド系農薬；アミトラズ、クロフェンテジン、テブフェンピラド、ピリダベン等の殺ダニ剤；オキサジキシル、ジフ���ノコナゾール、トリシクラゾール、ビテルタノール、フェナルモン、フルトラニル、プロシミドン、プロベナゾール、ミクロブタニル、メタラキシル、メプロミル等の殺菌剤；シメトリン、トリアジン等のトリアジン系農薬；テニルクロール、プレチラクロール、メフェナセット等の酸アミド系農薬を除去することができる。【００２３】
本発明土壌改良材を土壌に施すことにより、土壌中の細菌叢が住所：〒305-8566  茨城県つくば市東１−１−１中央第６、名称：独立行政法人産業技術総合研、特許生物寄託センターにおいて２００４年４月３０日に受託された新規好熱菌（受託番号：ＦＥＲＭ  ＢＰ−１０３２１）を中心に植物の生育に有利な状態になり、栽培した農作物は、施肥量を減少させていないにもかかわらず硝酸態窒素の含有量が低く、順調に生育し残留農薬が検出されない。
【実施例１】
【００２４】
(1) 好熱菌の分離
市販のステビア粉末１ｇを段階希釈法により希釈し、各段階希釈液０．１ｍｌを０．５％肉エキス加トリプトソイ寒天培地に接種し、５５℃で２日間培養し好熱菌を分離した。更に、同培地での同様の分離培養を２０回以上繰返し、４種の単一菌を得た。得られた単一菌を１６ＳｒＤＮＡ部分塩基配列解析によって同定したところ、Ureibacillus thermosphaeriusと９９％一致する本発明好熱菌が得られた。市販のステビア粉末には本発明好熱菌が６．３×１０４cfu/g含有されていた。更に、全塩基配列解析による同定により、バチルス・サーモアミロボランス（Bacillus thermoamylovorans）と９９％一致する他の第１の好熱菌と、バチルス・サーモアミロボランス（Bacillus thermoamylovorans）と９９％一致する他の第２の好熱菌とサーモアクチノミーセス・キャンディダス（Thermoactinomyces candidus）と９９％一致する好熱菌の新規な３菌株が得られたが、８０℃以上に自然発熱して製造された堆肥中にはこれら３菌株は発見されなかった。
【００２５】（２）堆肥の製造
コンクリート製の上面が開口した堆肥槽を用い、コンクリートの隔壁によって３室に分断した。底面に水抜き孔を設け、更に一定間隔で噴気孔を上面に開口した配管を堆肥槽の底面に配置して通気性を確保した。
牛の糞尿を含む敷きわら１０トンと、鶏糞１０トンを混合した。混合物はベトベトした状態にあるため、１５重量％のもみ殻と干し草を配合してベトベトした状態を解消し、通気性が確保できる物性にした。更に、ステビアの植物体の乾燥粉末１００ｋｇを加えてよく混合した。この堆肥原料を上記堆肥槽の第１室に充填し、押圧してふわふわ状態を解消し、材料から浸み出る程度の水を加え、堆肥槽底の通気孔からわずかに曝気して好気的条件にした。【００２６】
作業当日は動物糞尿特有の臭気が充満していたが、１日後には悪臭は消滅した。２日後には内部温度が８０℃に達し、３日後には８１℃になった。６日後に内部温度が７６℃になったので切返しを行った。１４日後に内部温度が５５℃に低下したので材料を第１槽から第２槽に移したため実質的には切返しを行ったことになる。３０日後に内部温度が５０℃に低下したので、材料を第２槽から第３槽に移して実質的な切返しを行った。その後４３日後に切返しを行い、３か月弱で完熟堆肥が得られた。堆肥製造過程では適宜材料から浸み出る程度の水を補給した。通常の堆肥は水を加えるとアンモニア臭を放出するが、本実施例の堆肥は水を加えても何ら悪臭はなく、むしろ芳醇な芳香を発した。
この堆肥の本発明好熱菌数は５５℃で培養して測定したところ、１．３７×１０７cfu/gであった。
【００２７】
(3) カーバメイト系農薬耐性試験
カーバメイト系農薬である、アブラムシやアオムシ等を駆除するランネート４５水和剤（商標名）に対する本発明好熱菌の耐性を調べた。用いたランネート水和剤の成分はメソミル｛Ｓ−メチル−Ｎ〔（メチルカルバモイル）オキシチオアセトイミデート〕｝４５％であり、通常１０００〜２０００倍に希釈して使用される。
培地としては、０．５％肉エキス加トリプトソイ寒天培地を使用した。活性化した本発明好熱菌を、斜面培地より１０ｍｌの０．５％肉エキス加トリプトソイ寒天培地に２白金線植菌し、６０℃で２４時間前培養して用いた。
ランネート水和剤を０、０．１、１、１０、１００、１０００ｐｐｍ添加した０．５％肉エキス加トリプソイ液体培地に、本発明好熱菌をそれぞれ接種し、６０℃で培養し１日後及び２日後の増殖率を測定した。好熱菌の増殖率はＯＤ６６０ｎｍで測定し、コントロールを１００として相対増殖率を第１図に示した。第１図のプロットは３回の実験の平均値である。
【００２８】（４）有機リン系農薬耐性試験
有機リン系農薬として、武田オルトラン液剤（商標名）に対する本発明好熱菌の耐性を調べた。オルトランは、アセフェート（Ｏ，Ｓ−ジメチル−Ｎ−アセチルホスホロアミドチオエート）１５％、有機溶剤及び界面活性剤８５％を含有する。通常２５０〜５００倍に希釈して用いる。オルトラン液剤を０、０．４、４．０、４０、４００ｐｐｍ添加した０．５％肉エキス加トリプソイ液体培地を用いた以外は、カーバメイト系農薬の場合と同様にして試験を行い、その相対増殖率を第２図に示した。第２図のプロットは３回の実験の平均値である。【００２９】（５）ピレスロイド系農薬耐性試験
ピレスロイド系農薬として、三共トレボニ乳剤（商標名）に対する本発明好熱菌の耐性を調べた。トレボニ乳剤はエトフェンブロックス〔２−（４−エトキシフェニル）２−メチルプロピル＝３−フェノキシベンジル＝エーテル〕２０％、有機溶剤及び界面活性剤８０％を含有する。通常１０００〜２０００倍に希釈して用いる。トレボニ乳剤を０、０．１、１、１０、１００、１０００ｐｐｍ添加した０．５％肉エキス加トリプソイ液体培地に、それぞれ接種し、カーバメイト系農薬の場合と同様にして試験を行い、その相対増殖率を第３図に示した。第３図のプロットは３回の実験の平均値である。
第１図ないし第３図より本発明好熱菌は農薬に対して高い耐性を有するばかりでなく、むしろ資化しているものと推測される。【００３０】（６）硝酸還元性試験
本発明好熱菌を０．１％ＫＮＯ３含有ペプトン水培地にそれぞれ接種し、５５℃で５日間培養した。培養２４時間毎にα−ナフチルアミン、スルファニル酸からなる亜硝酸検出用試薬を用いて亜硝酸生成量をＯＤ５４０ｎｍで測定し、第４図に示した。更に、同一培地で同一条件下で培養後、ネスラー試薬によるアンモニウム生成能の有無を検討したところ、アンモニアによる黄褐色を呈した。
以上の結果より、本発明の好熱菌は高い硝酸還元性能を有することが判明した。
【実施例２】
【００３１】  古来、痩せ地を好むと言われていたさつま芋について実験した。灌木栽培終了後、数年間放置されていた福岡県の放置土壌を使用した。５月１８日に各３．５ｍ２（１ｍ×３．５ｍ）の本発明ステビア堆肥区、本発明堆肥と同一原料を用い、ステビア粉末を配合せずに得た牛糞堆肥区及び無処理区の３試験区を設けた。堆肥区には各々４．４ｋｇ／ｍ２で散布した。対照として無処理区も含め、３連の各実験区を設置した。各堆肥施肥後２９日後の（６月１６日）にさつま芋（鳴門金時）苗を各畝に２５ｃｍ間隔で１３本ずつ植え、１０月２５日に収穫した。収穫後、水で洗浄し室温で１日乾燥後（１０月２６日）に、各試験区の大きさの揃ったさつま芋苗各１０本ずつについて、個数及び重量を測定して表３に示した。また、Ｂｒｉｘ計を用いて糖度を測定し、表３に併記した。【００３２】
0003905553.tif 000005
0003905553.tif 000006
【００３３】
表３より、本発明のウレイバチルス・サーモスファエリクス (Ureibacillus thermosphaericus)に属し、住所：〒305-8566  茨城県つくば市東１−１−１中央第６、名称：独立行政法人産業技術総合研、特許生物寄託センターにおいて２００４年４月３０日に受託された新規好熱菌（受託番号：ＦＥＲＭ  ＢＰ−１０３２１）を大量に含有する土壌配合材は肥料の吸収性を向上させる効果を有することが判明した。また、堆肥を用いることにより品質も向上していることが判明した。
【００３４】  本実施例で使用した堆肥は本発明牛糞堆肥も従来の牛糞堆肥も同一の原料を使用した。そこで、それぞれの堆肥１ｇを水に懸濁、撹拌した後、１リットルにメスアップし、１万ｒｐｍで５分間遠心分離して得られた上清液をろ過し、カリウムイオン及びオルトリン酸イオンを測定した。その結果を表４に示した。表４から明らかな通り、同一原料を用いた堆肥であっても、本発明の堆肥は従来の堆肥に比して２倍以上のＰＯ４３−イオンが存在した。一般にリン酸は肥料として吸収されがたいと言われているが、イオン化していれば吸収され易いことも理解できる。カリウムイオンも１．３８倍であった。【００３５】
0003905553.tif 000007
【実施例３】
【００３６】  きゅうり（品種、新緑）の種を５月初旬に苗床に種まきした。板を縦にして苗床表面を９ｃｍ間隔に押圧し、表面に縦縞状の浅い溝を形成した。この溝の中に、種を１．５ｃｍ間隔に１個ずつ丁寧に横向きに並べ、軽く土をかけた。充分に水遣りをすると発芽して双葉も横向きに並んだ。育ちのよい苗を残して適宜間引きをしながら育成し、５月末には本葉４〜５枚の苗が育った。【００３７】  別に、ハウス内の畑地を４月下旬から深さ２０〜２５ｃｍに耕し、実施例１の（２）で製造した堆肥１５００ｋｇ／１０ａと、消石灰１０ｋｇ／１０ａを土壌と混合し、よくなじませた。窒素、リン酸、カリをそれぞれ８％含有する化成肥料を、植付け直前に元肥として畑地に混合した。畑地は上辺約６０ｃｍの畝を平行に設け、畝の中心から中心までの距離を約１８０ｃｍにした。畝の両脇に互いに約６０ｃｍ離して約５０ｃｍ間隔で生育した苗を２列に定植した。【００３８】  次いで、それぞれの苗の脇にしっかりした支柱を立て、支柱の地上部２ｍの位置で同じ畝の、畝の方向と直交する位置に立てた２本の支柱を交叉させて繋ぎ合わせた。この交叉部は畝の中心部に畝と平行に並ぶ。更に、この交叉部上に、長い棒を縛って倒れないように支えた。【００３９】  ６月１日に定植した苗は順調に育ち、草丈が支柱の交叉部に達した頃、芽先を摘み、側枝は葉３枚を残して摘み取った。又、孫蔓が出てきたので葉２枚を残して摘み取った。定植後、ほぼ１５日おきに化成肥料の追肥を行った。苗は順調に生育し、６月１５日には約２０ｃｍ長さのきゅうりの最初の収穫を得た。６月２０日頃、アブラムシを発見したのでランネート液剤を１０００倍希釈して１０００ｐｐｍ濃度にして、虫が発生した近所を集中的に、葉裏を中心に散布し、次いで葉の表面にも散布した。充分に農薬を散布したためその後、害虫の発生もなく８月２９日まで収穫が続いた。【００４０】  収穫したきゅうりの残留農薬に関して、５０本入り１箱を東京都市場衛生検査所に持参し、残留農薬に関して検査を依頼した。カーバメイト系農薬に関し残留農薬は検出されなかった。この場合、検出限界濃度は全て０．０１ｐｐｍであった。
【産業上の利用可能性】
【００４１】
本発明のウレイバチルス・サーモスファエリクス (Ureibacillus thermosphaericus)に属し、住所：〒305-8566  茨城県つくば市東１−１−１中央第６、名称：独立行政法人産業技術総合研、特許生物寄託センターにおいて２００４年４月３０日に受託された新規好熱菌（受託番号：ＦＥＲＭ  ＢＰ−１０３２１）を、蛋白質やポリペプチドを多く含有する培地で培養して土壌に直接或いは土壌配合材と共に施用することにより、農作物の収量を増大させることができる。このように、本発明は、農業の発展に貢献する。
【図１】
0003905553.tif 000008
【図２】
0003905553.tif 000009
【図３】
0003905553.tif 000010
【図４】
0003905553.tif 000011
【配列表】
0003905553000001.app